(57)【要約】      （修正有）【課題】暗所等において視界前方を簡単かつ確実に明るくすることができる照明付き帽子を提供する。【解決手段】帽子１は、頭部に被せられる帽子本体１１と、該帽子本体１１に設けられる鍔部１２とを有するものであり、鍔部１２の内部に設けられ、前鍔部１２の前方を照射する複数の光源１３１を有する照明部１３と、該照明部１３に電力を供給する電源部と、照明部１３の照明態様を切り換える切換スイッチとを備える。これによれば、照明部１３に電力が供給されることによって帽子１の前方が照射されるため、暗所等において視界前方を簡単かつ確実に明るくすることができる。しかも、鍔部１２の内部に照明部１３が設けられることにより、照明部１３全体が帽子１の外部に露出することがないため、帽子１の外観の意匠性を向上させることができる。【選択図】図１
0003182475.tif 000002
【実用新案登録請求の範囲】
【請求項１】
頭部に被せられる帽子本体と、該帽子本体に設けられる鍔部とを有する帽子において、
前記鍔部の内部に設けられ、前記鍔部の前方を照射する一ないし複数の光源を有する照明部と、
該照明部に電力を供給する電源部とを備えることを特徴とする照明付き帽子。
【請求項２】
前記鍔部の内部に設けられ、前記鍔部の外部から前記照明部の照明態様を切り換える切換部を備える請求項１に記載の照明付き帽子。
【請求項３】
前記鍔部の内部に前記電源部が設けられ、該電源部を前記鍔部の外部に露出させるための開口部が前記鍔部に形成されている請求項１または請求項２に記載の照明付き帽子。
【請求項４】
前記照明部は、光源がＬＥＤからなる請求項１ないし請求項３のいずれかに記載の照明付き帽子。
【考案の詳細な説明】
【技術分野】
【０００１】
本考案は、頭部に被せられる帽子本体と、該帽子本体に設けられる鍔部とを有する帽子に関するものである。
【背景技術】
【０００２】
従来より、照明が無いような暗所等での作業や歩行等をするに際しては、例えば懐中電灯のような携帯用の照明機器を用いることにより、前方を明るくして視界を確保することが行われてきた（例えば、下記特許文献１参照）。
【０００３】
ところが、このような携帯用の照明機器は、所有者の手を塞いでしまうため、これに対処するものとして頭部にランプ等の照明器具をストラップによって取り付けるヘッドランプと呼ばれるものが知られている（例えば、下記特許文献２参照）。このヘッドランプは、伸長可能なストラップを装着者の頭部の周囲に巻き付けることによって頭部の前方部にランプを固定するものであり、これにより装着者の両手を自由に開放することが可能となる。
【先行技術文献】
【特許文献】
【０００４】
【特許文献１】特開２０１１−８２０９６号
【特許文献２】特開２００８−２５８１４４号
【考案の概要】
【考案が解決しようとする課題】
【０００５】
しかしながら、ヘッドランプは、ストラップを装着者の頭部の周囲を締める態様で固定される構成であり、ランプの重みによって装着者の作業や歩行等の動きによって特に上下方向に動きやすいものである。このため、ストラップが次第にずれていき、結果としてランプの位置がずれて所望の位置を照射することができない場合があるという問題があった。
【０００６】
これに対して、装着者の動きによってランプがずれないように、ストラップにより装着者の頭部を強く締め付けてランプを固定することも考えられるが、これでは装着者に大きな違和感を与える虞がある。また、ヘッドランプを長時間装着すると、装着者にとって負担が大きいものとなってしまう。
【０００７】
本考案は、上述の問題に鑑みてなされたものであって、暗所等において視界前方を簡単かつ確実に明るくすることができる照明付き帽子を提供することを目的とする。
【課題を解決するための手段】
【０００８】
本考案は、上記目的を達成するために、頭部に被せられる帽子本体と、該帽子本体に設けられる鍔部とを有し、鍔部の内部に設けられ、鍔部の前方を照射する一ないし複数の光源を有する照明部と、該照明部に電力を供給する電源部とを備えることを特徴とする。
【０００９】
これによれば、鍔部に設けられた照明部に電力が供給されることによって本帽子の前方が照射されるため、暗所等において視界前方を簡単かつ確実に明るくすることができる。しかも、鍔部の内部に照明部が設けられることにより、照明部全体が本帽子の外部に露出しないため、本帽子の外観の意匠性を向上させることができる。
【００１０】
また、鍔部の内部に設けられ、鍔部の外部から照明部の照明態様を切り換える切換部を備えるのが好ましい。これによれば、装着者は切換部によって照明部の照明態様を自由に切り換えることができる。しかも、鍔部の内部に切換部が設けられることにより、切換部が本帽子の外部に露出しないため、本帽子の外観の意匠性をさらに向上させることができる。
【００１１】
また、鍔部の内部に前記電源部が設けられ、該電源部を鍔部の外部に露出させるための開口部が鍔部に形成されているのが好ましい。これによれば、電源部を開口部から鍔部の外部に露出させ得るため、電池の交換やメンテナンス等を容易に行うことができる。しかも、鍔部の内部に電源部が設けられることにより、電源部が本帽子の外部に露出しないため、本帽子の外観の意匠性をさらに向上させることができる。
【００１２】
また、照明部は、光源がＬＥＤからなるのが好ましい。これによれば、照明部の消費電力を抑えることができるとともに、高寿命を図ることができる。
【考案の効果】
【００１３】
本考案によれば、鍔部に設けられた照明部に電力が供給されることによって本帽子の前方が照射されるため、暗所等において視界前方を簡単かつ確実に明るくすることができる。しかも、鍔部の内部に照明部が設けられることにより、照明部全体が本帽子の外部に露出しないため、本帽子の外観の意匠性を向上させることができる。
【００１４】
また、本帽子は、基本構造が一般的な帽子と同様の構成であるため着脱が容易であり、しかも装着者の頭部に安定して装着されるため、作業や歩行等の装着者の動きに対してずれることを防止できる。
【００１５】
さらに本帽子は、一般的な帽子のように直射日光、寒暑、埃や塵等から頭部を保護したり、身なりを装飾するために用いることも可能である。
【図面の簡単な説明】
【００１６】
【図１】本実施形態に係る帽子を示す斜視図である。
【図２】図１の帽子の底面図である。
【図３】図１の帽子の要部を示す底面図である。
【考案を実施するための形態】
【００１７】
次に、本考案に係る照明付き帽子の一実施形態について図１〜図３を参照しつつ説明する。  
【００１８】
本実施形態の帽子１は、図１に示すように、装着者の頭部に被せられる帽子本体１１と、該帽子本体１１の前方周縁部に設けられる鍔部１２とを有する、いわゆるキャップ型の帽子である。
【００１９】
前記帽子本体１１は、図１に示すように、装着者の頭部の上側を覆う態様で略半球形状に形成されており、装着者の頭部に安定して装着される。この帽子本体１１は、後方端部に種々の人の頭部のサイズに適応させるためのサイズ調整部を備えるのが好ましい。
【００２０】
前記鍔部１２は、図１に示すように、左右方向の中央部がやや上方側に膨んだ略扁平状部材であって、後方端部が帽子本体１１の前方周縁部に沿って固定されているとともに、前方端部が帽子本体１１の前方に向かって延在する態様で設けられている。この鍔部１２は、図２に示すように、合成樹脂からなる薄板状の基材１２１と、該基材１２１の全体を被覆する布部材１２２とを有し、この布部材１２２により基材１２１が外部から視認できないようになっている。
【００２１】
そして、この鍔部１２は、図３に示すように、布部材１２２内の基材１２１の下面において、複数の光源１３１を有する照明部１３と、該照明部１３に電力を供給する電源部１４と、照明部１３の照明態様を切り換える切換部１５とを備える。
【００２２】
これら照明部１３、電源部１４および切換部１５は、一枚の基板１６によって保持されており、該基板１６が鍔部１２の基材１２１の下面に固定されることにより、鍔部１２の内部に配置される。
【００２３】
前記照明部１３は、図３に示すように、５つの光源１３１を有しており、本実施形態では光源１３１がＬＥＤ（Light Emitting Diode）からなる。この複数の光源１３１は、鍔部１２の前方端部に沿って列を形成するように配置されており、各光源の１３１の先端部が鍔部１２の布部材１２２の内側から外側に突出している。このため、照明部１３に電力が供給されることにより、帽子１の前方を照射することができる。また、光源１３１がＬＥＤからなっているため、消費電力を抑えることができるとともに、高寿命を図ることができる。
【００２４】
前記電源部１４は、図３に示すように、電池１４１を用いて電力が生じる構成が採用されている。本実施形態の電源部１４では、電池１４１がボタン電池型の電源部が採用されており、これにより電源部１４全体の厚みが薄くなり、鍔部１２としての厚みに大きく影響を与えないため、帽子１を装着した際に鍔部１２の厚みによる違和感を装着者に与えることを防止することができる。
【００２５】
前記切換部１５は、図３に示すように、照明部１３および電源部１４に接続されており、照明部１３の照明態様（光源１３１による照射のＯＮの状態とＯＦＦの状態）を切り換えるものである。この切換部１５は、鍔部１２の布部材１２２を介して下方側から上方側に向かって押圧可能な切換ボタン１５１を有し、鍔部１２の外部から切換ボタン１５１を押圧することによって電源部１４からの電力供給の開始および停止を操作する。このようにして、装着者は切換部１５によって照明部１３の照明態様を自由に切り換えることができる。
【００２６】
切換部１５の具体的動作としては、照明部１３の光源１３１による照射がＯＦＦの状態（消灯）である場合に切換ボタン１５１を押圧すると、電源部１４から照明部１３に電力供給が開始され、照明部１３の光源１３１による照射がＯＮの状態（点灯）となる。また、照明部１３の光源１３１による照射がＯＮの状態である場合に切換ボタン１５１を押圧すると、電源部１４から照明部１３への電力供給が停止され、照明部１３の光源１３１による照射がＯＦＦの状態（消灯）となる。
【００２７】
また、この切換部１５は、鍔部１２の下面における中央部であって、鍔部１２の前方端部から約１．５〜２．０ｃｍ後方側の位置に切換ボタン１５１が配置されている。このような位置に切換ボタン１５１が配置されることによって、装着者が鍔部１２を把持するに際して装着者の親指で切換ボタン１５１を容易に押圧することが可能になる。
【００２８】
また、前記鍔部１２は、図２に示すように、内部に設けられた電源部１４を鍔部１２の外部に露出させるための開口部１２３が形成されている。この開口部１２３は、鍔部１２の下側の布部材１２２に、長さ方向に設けられたエレメント（務歯）１２３ａと、エレメント１２３ａに沿って移動するスライダ１２３ｂとからなる線ファスナによって構成されている。この開口部１２３では、スライダ１２３ｂを一方側（図２中では左側）に移動させるとスライダ１２３ｂの移動に伴ってエレメント１２３ａの咬み合いが次第に外れていき、開口部１２３が開口する。かくして開口した開口部１２３から電源部１４を鍔部１２の外部に露出させ得るため、電源部１４におけるボタン電池１４１の交換やメンテナンス等を容易に行うことができる。
【００２９】
一方、スライダ１２３ｂを反対側（図２中では右側）に移動させるとスライダ１２３ｂの移動に伴ってエレメント１２３ａが咬み合っていき、開口部１２３が次第に閉塞されるため、一般的な帽子と同じように帽子１を使用することができる。
【００３０】
以上の帽子１の使用に際しては、一般的な帽子を装着するように帽子本体１１を頭部に被せ、帽子１を装着する。そして、照明部１３の光源１３１による照射がＯＦＦの状態において装着者により切換部１５の切換ボタン１５１が押圧されると、電源部１４から照明部１３に電力供給が開始され、照明部１３の光源１３１による照射がＯＮの状態となる。このように、鍔部１２に設けられた照明部１３に電力が供給されることによって帽子１の前方が照射されるため、暗所等において視界前方を簡単かつ確実に明るくすることができる。
【００３１】
一方、照明部１３の光源１３１による照射がＯＮの状態において装着者により切換部１５の切換ボタン１５１が押圧されると、電源部１４から照明部１３に電力供給が停止され、照明部１３の光源１３１による照射がＯＦＦの状態となる。このように装着者は切換部１５によって照明部１３の照明態様（ＯＮの状態またはＯＦＦの状態）を自由に切り換えることができる。
【００３２】
しかも、鍔部１２の内部に照明部１３、電源部１４および切換部１５が設けられることにより、各々の全体が帽子１の外部に露出することがないため、帽子１の外観の意匠性を向上させることができる。
【００３３】
また、帽子１は、基本構造が一般的な帽子と同様の構成であるため着脱が容易であり、しかも装着者の頭部に安定して装着されるため、作業や歩行等の装着者の動きに対してずれることを防止できる。
【００３４】
さらに帽子１は、一般的な帽子のように直射日光、寒暑、埃や塵等から頭部を保護したり、身なりを装飾するために用いることも可能である。
【００３５】
なお、本実施形態では、光源１３１が複数である場合について説明したが、一つであってもよい。
【００３６】
また、光源１３１がＬＥＤである場合について説明したが、その他の光源であってもよい。
【００３７】
また、電源部１４がボタン電池型の電源部となされている場合について説明したが、その他の形態の電源部であってもよい。
【００３８】
また、切換部１５が切換ボタン１５１の押圧によって照明部１３の照明態様を切り換える場合について説明したが、その他の構造によって照明部１３の照明態様を切り換えるものであってもよい。
【００３９】
また、切換部１５が照明部１３の光源１３１による照射のＯＮの状態（点灯）とＯＦＦの状態（消灯）とを切り換える場合について説明したが、照明部１３の光源の明るさを変えたり、点滅させたり、光の色を変えたりするように、照明態様を切り換えてもよい。
【００４０】
また、開口部１２３が線ファスナである場合について説明したが、その他の構造を有するものであってもよい。
【００４１】
また、帽子１がキャップ型の帽子である場合について説明したが、鍔部を有するその他の型の帽子であってもよい。
【００４２】
以上、図面を参照して本考案の実施形態を説明したが、本考案は、図示した実施形態のものに限定されない。図示された実施形態に対して、本考案と同一の範囲内において、あるいは均等の範囲内において、種々の修正や変形を加えることが可能である。
【００４３】
１…帽子
１１…帽子本体
１２…鍔部
１２１…基材
１２２…布部材
１２３…開口部
１２３ａ…エレメント
１２３ｂ…スライダ
１３…照明部
１３１…光源
１４…電源部
１４１…ボタン電池
１５…切換部
１５１…切換ボタン
１６…基板
【図１】
0003182475.tif 000003
【図２】
0003182475.tif 000004
【図３】
0003182475.tif 000005